(57)【要約】  本発明は、表面プラズモン共鳴測定を実施するための方法及び装置に関する。電磁放射ビーム１は電磁放射線源２によって生成される。前記電磁放射ビーム１は、プリズム３を通って入射角（ａ１；ａ２）で材料層５に当たり、この材料層５はプリズム３の平面状表面４を覆う。共鳴現象が生じる。表面４によって反射電磁放射ビーム６が生成され、反射電磁放射ビーム６の強度レベルを検出するための検出器７へと向けられる。表面共鳴現象によって生じる、反射電磁放射ビーム６の強度の変化が測定される。前記反射電磁放射ビーム６は、ミラー８で検出器７へと反射される。
2007514922.tif 000002
【特許請求の範囲】
【請求項１】
表面プラズモン共鳴測定を実施するための方法において、
電磁放射ビーム（１）が電磁放射線源（２）によって生成され、
前記電磁放射ビーム（１）がプリズム（３）を通して入射角（α１；α２）で材料層（５）に当たり、前記材料層（５）が前記プリズム（３）の平面状表面（４）を少なくとも部分的に覆い、
共鳴現象が生じ、
反射電磁放射ビーム（６）が、前記平面状表面（４）によって生成され、前記プリズム（３）を通して、さらに前記反射電磁放射ビーム（６）の強度レベルを検出するための検出器（７）へと向けられ、
前記表面共鳴現象によって生じる、前記反射電磁放射ビーム（６）の強度の変化が測定される方法であって、
前記反射電磁放射ビーム（６）がミラー（８）で前記検出器（７）へと反射されることを特徴とする方法。
【請求項２】
平面ミラー（８）を使用し、
前記平面状表面（４）とそれぞれの平面が互いに平行な関係で前記平面ミラー（８）を配置することを特徴とする、請求項１に記載の方法。
【請求項３】
前記電磁放射線源（２）がレーザであることを特徴とする、請求項１に記載の方法。
【請求項４】
前記材料層（５）が、好ましくはＡｕを含む金属膜であることを特徴とする、請求項１から３までのいずれかに記載の方法。
【請求項５】
前記プリズム（３）が、縦中線（９）をもつ平面状表面（４）を備える半円筒形プリズムであり、
前記電磁放射ビーム（１）が前記縦中線（９）に当たることを特徴とする、請求項１から４までのいずれかに記載の方法。
【請求項６】
表面プラズモン共鳴現象が実現されるように前記入射角（α）が変化するよう、前記電磁放射線源（２）及び前記検出器（７）に対して前記プリズム（３）及び前記ミラー（８）を一緒に回転させることを特徴とする、請求項１から５までのいずれかに記載の方法。
【請求項７】
前記プリズム（３）が、縦中線（９）をもつ平面状表面（４）を備える半円筒形プリズムであり、
前記電磁放射ビーム（１）が前記縦中線（９）に当たり、
表面プラズモン共鳴現象が実現されるように前記入射角（α１；α２）が変化するよう、前記半円筒形プリズム（３）の平面状表面（４）の前記縦中線（９）の周りで前記プリズム（３）及び前記ミラー（８）を一緒に回転させることを特徴とする、請求項１から６までのいずれかに記載の方法。
【請求項８】
表面プラズモン共鳴現象が実現されるように前記入射角（α１；α２）が変化するよう、前記プリズム（３）及び前記ミラー（８）に対して前記電磁放射線源（２）及び前記検出器（７）を一緒に回転させることを特徴とする、請求項１から７までのいずれかに記載の方法。
【請求項９】
前記プリズム（３）が、平面状表面（４）を備え縦中線（９）をもつ半円筒形プリズムであり、
前記電磁放射ビーム（１）が前記縦中線（９）に当たり、
表面プラズモン共鳴現象が実現されるように前記入射角（α）が変化するよう、前記半円筒形プリズム（３）の前記平面状表面（４）の前記縦中線（９）の周りで前記電磁放射線源（２）及び前記検出器（７）を一緒に回転させることを特徴とする、請求項１から８までのいずれかに記載の方法。
【請求項１０】
サンプル中での分析物（１３）の存在を検出するためのセンサ（１０）であって、特定の分析物をそれ自体に結合させることができる生体分子（１４）を含み、機能的に接触している前記材料層（５）上で、前記生体分子に結合した分析物の増加を示す変化を引き起こすことができるセンサを前記材料層（５）と機能的に接触させて配置し、
分析物を含むサンプルを前記センサ（１０）に供給し、
分析物を前記生体分子に結合させ、
前記材料層（５）の変化を引き起こし、
前記サンプル中での分析物の存在を示す、前記共鳴現象及び前記反射電磁放射の変化を引き起こすことを特徴とする、請求項１から９までのいずれかに記載の方法。
【請求項１１】
表面プラズモン共鳴測定を実施するための装置において、
電磁放射ビーム（１）を生成し、表面プラズモン共鳴現象を可能にする入射角（α１；α２）で前記電磁放射が材料層（５）に当たるようにプリズム（３）を通して材料層（５）に当てる電磁放射線源（２）を備え、
前記材料層（５）が前記プリズム（３）の平面状表面（４）を少なくとも部分的に覆い、
前記平面状表面（４）が、反射されて前記プリズム（３）を通過し、さらに反射電磁放射ビーム（６）の強度レベルを検出するための検出器（７）に至る反射電磁放射ビーム（６）を生成するように適合された装置であって、
前記反射電磁放射ビーム（６）を検出器（７）へと反射するミラー（８）を備えることを特徴とする装置。
【請求項１２】
前記ミラー（８）が平面ミラーであり、
前記平面ミラー（８）及び前記プリズム（３）の前記平面状表面（４）が、それぞれの平面が互いに平行な関係で配置されることを特徴とする、請求項１１に記載の装置。
【請求項１３】
前記電磁放射線源（２）がレーザであり、
前記電磁放射ビーム（１）及び反射電磁放射ビーム（６）がレーザ・ビームであることを特徴とする、請求項１１又は１２に記載の装置。
【請求項１４】
前記材料層（５）が、好ましくはＡｕを含む金属膜であることを特徴とする、請求項１１から１３までのいずれかに記載の装置。
【請求項１５】
前記プリズム（３）が半円筒形プリズムであることを特徴とする、請求項１１から１４までのいずれかに記載の装置。
【請求項１６】
表面プラズモン共鳴現象が実現されるように前記入射角（α１；α２）が変化するよう、前記電磁放射線源（２）を前記検出器（７）とともに回転させる第１の回転装置（１１）を含むことを特徴とする、請求項１１から１５までのいずれかに記載の装置。
【請求項１７】
前記電磁放射線源（２）と前記検出器（７）が互いに機械的に固定されていることを特徴とする、請求項１６に記載の装置。
【請求項１８】
前記プリズム（３）が、縦中線（９）をもつ平面状表面（４）を備える半円筒形プリズムであり、
前記電磁放射線源（２）は、前記電磁放射ビーム（１）が前記平面状表面（４）の前記中線（９）に当たるように配置され、
前記半円筒形プリズム（３）の前記平面状表面（４）の前記中線（９）の周りで前記電磁放射線源（２）を前記検出器（７）とともに回転させるように前記第１の回転装置（１１）が配置されることを特徴とする、請求項１６又は１７に記載の装置。
【請求項１９】
表面プラズモン共鳴現象が実現されるように前記入射角（α１；α２）が変化するよう、前記プリズム（３）を前記ミラー（８）とともに回転させる第２の回転装置を含むことを特徴とする、請求項１１から１８までのいずれかに記載の装置。
【請求項２０】
前記プリズム（３）と前記ミラー（８）が互いに機械的に固定されていることを特徴とする、請求項１９に記載の装置。
【請求項２１】
前記プリズム（３）が、縦中線（９）をもつ平面状表面（４）を備える半円筒形プリズムであり、
前記電磁放射線源（２）は、前記電磁放射ビーム（１）が前記平面状表面（４）の前記中線（９）に当たるように配置され、
前記半円筒形プリズムの前記平面状表面（４）の前記中線（９）の周りで前記電磁放射線源（２）を前記検出器（７）とともに回転させるように前記第２の回転装置が配置されることを特徴とする、請求項１９又は２０に記載の装置。
【請求項２２】
前記材料層（５）と機能的に接触しており、サンプル中での分析物（１３）の存在を検出するためのセンサ（１０）であって、特定の分析物をそれ自体に結合させることができる生体分子（１４）を含み、機能的に接触している前記材料層（５）上で、前記生体分子に結合した分析物の増加を示す変化を引き起こすことが可能であるセンサを特徴とする、請求項１１から２１までのいずれかに記載の装置。
【発明の詳細な説明】
【技術分野】
【０００１】
本発明は、請求項１のプリアンブルによる表面プラズモン共鳴測定を実施するための方法、及び請求項１１のプリアンブルによる表面プラズモン共鳴測定を実施するための装置に関する。
【背景技術】
【０００２】
表面プラズモンは、金属の表面に沿って伝搬する特殊な電磁波である（H. Raether、「Surface plasmons on smooth and rough surface and on gratings」、Springer-Verlag ISBN 3-540-1760-3、Berlin、1998）。ｐ偏光の平行光線が、金属薄膜で被覆されている（いわゆるクレッチマン配置）ガラス基板（例えば、プリズム）の表面で全反射された場合に、表面プラズモンの光学的励起を実現することができる。それが可能になるには、光子の運動量が、金属膜の反対側の表面上の表面プラズモンと合致すべきである。これは、ある波長について光の入射の臨界角で起こる。この現象は、入射角（ガラス基板の表面と光の間の角度）を変えた場合に、反射光の強度の尖鋭な最小値として観測される。この急激な下落が起こる角度又は波長は、金属膜上の表面層の特性によって決まるので、この現象を使用して、例えば、特定の化学反応若しくは生体反応によって又はこの表面のすぐ近くのある物質の濃度の変化によって生じるこの表面層の変化を監視することができる。
【０００３】
図１は、表面プラズモン共鳴測定用の配置の原理を示す。図１において、電磁放射ビーム１（例えば、レーザ・ビーム）は、電磁放射用線源２（例えば、レーザ）によって生成され、前記放射に対して透明な部品３、すなわち半円形プリズム３を通して表面４に対してある入射角（α１；α２）で、プリズム３の表面４上の金属膜５に当たる。電磁放射ビーム１は、プリズム３の表面４で反射される。電磁放射ビーム１がプリズム３の表面４で反射されると、表面４によって反射電磁放射ビーム６が生じ、プリズム３を通して表面４に対して反射角（α１；α２）（入射角（α１；α２）と大きさが等しい）の向きに進み、さらに、反射電磁放射ビーム６の強度を検出するための検出器７へと進む。表面プラズモンは、表面４で全反射（ＴＩＲ）された電磁放射によって材料層５の反対側の表面上で励起される。材料層５及びあり得る追加の層が、ＴＩＲに関連するエバネッセント場の影響圏内にある。
【０００４】
上記配置に関連する問題の１つは、プリズム３を、またそれと一緒に表面４及び材料層５を電磁放射線源２に対して角度β回転させた場合、反射電磁放射ビームを集めるための検出器７を表面４に対して角度γ回転させなければならないことであり、この角度γはプリズム３自体の回転角βの２倍に等しい。すなわち、プリズム３を角度β回転させると、プリズム３の表面４も角度β回転し、その結果、電磁放射ビーム１と表面４及び材料層５との間の以前の入射角α１は、電磁放射ビーム１と表面４との間の新たな入射角α２に変わることになり、それに対応して、反射電磁放射ビーム６と表面４との間の以前の反射角α１は、反射電磁放射ビーム６と表面４との間の新たな反射角α２に変わることになる。それにより、電磁放射ビーム１と反射電磁放射ビーム６との間の角度（参照番号は付いていない）が変わることになる。したがって、線源２によって生成され、表面４によって電磁放射ビーム６として反射される電磁放射ビーム１を集めるためには、検出器７を角度γ回転させなければならず、図１に示す配置においてこの角度γはプリズム自体の回転角βの２倍である。
【０００５】
これは、図１の例において、プリズムを回転軸１２の周りで反時計回りに２０度回転させた場合（電磁放射線源は回転させない）、線源４からの電磁放射ビーム１がプリズムに入り、回転させていない状態と比較して時計回りに２０度回転した入射角で表面４上の材料層５に当たることを意味し、その結果反射されたビームは、回転させていない状態と比較して反時計回りに４０度回転した反射角でプリズムから出ることになる。図１の例において、新たな入射角α２は以前の入射角α１よりも２０度鋭角となり、それに対応して、新たな反射角α２は以前の反射角α１よりも２０度鋭角となる。したがって、新たな入射角α２と新たな反射角α２との間の角度は、以前の入射角α１と以前の反射角α１との間の角度よりも４０度大きくなる。これが、検出器を線源１に対して４０度（プリズム３の回転角の２倍）回転させなければならない理由である。
【０００６】
この問題の解決法は、線源の角度を回転させた場合に線源４の回転角の２倍の角度検出器７を回転させる回転装置を提供することである。この解決法は機械的に複雑である。
【発明の開示】
【発明が解決しようとする課題】
【０００７】
したがって、本発明の一目的は、上記問題を解決するために、表面プラズモン共鳴測定を実施するための方法及び装置を提供することである。
【課題を解決するための手段】
【０００８】
本発明の諸目的は、独立請求項１及び１１に記載されていることを特徴とする、表面プラズモン共鳴測定を実施するための方法及び装置によって達成される。
【０００９】
本発明の好ましい諸実施例は、従属請求項に開示されている。
【００１０】
本発明は、反射電磁放射ビームをミラーで検出器へと反射する、すなわち、反射電磁放射ビームをミラーで検出器へと向けるという概念に基づいている。
【００１１】
プリズムが、材料層を備え縦中線をもつ平面状表面を有する半円形プリズムであって、電磁放射ビームが前記縦中線（longitudinal midline）に垂直に向けられ、ミラーが、前記平面状表面とそれぞれの平面が互いに平行な関係で配置された平面ミラーである構成において、反射電磁放射ビームはプリズムの後ミラーに当たり、最初の方向、つまり、電磁放射線源によって生成された電磁放射ビームの方向と平行な方向へと反射される。
【００１２】
或いは、ミラーとプリズムの表面は平行でなくてもよい。このような実施例では、電磁放射線源によって生成される電磁放射ビームとミラーによって生成される（反射される）反射電磁放射ビームは平行でないことになる。加えて、ミラーによって生成される（反射される）反射電磁放射ビームは、電磁放射線源によって生成される電磁放射ビームの入射角に依存する方向（角度）に向けられることになる。これは、電磁放射線源によって生成される電磁放射ビームの入射角に応じて、ミラーによって生成される（反射される）反射電磁放射ビームがある方向（角度）に向けられることになることを意味する。表面プラズモン共鳴現象が実現されるように電磁放射線源及び検出器に対してプリズムをミラーとともに回転させる場合、電磁放射線源によって生成される電磁放射ビームの入射角（図１及び２中のα１；α２）は回転とともに変わることになり、ミラーによって生成される（反射される）反射電磁放射ビームの方向（図１及び２中のα３；α４）もまた変化することになる。しかしながら、表面プラズモン共鳴現象を実現するための回転（図１及び２中の角度β）は通常非常に小さく、例えば１０度である。したがって、表面プラズモン測定で適用可能な所与の角度範囲内のすべての角度について、プリズムの表面からミラーを介して検出器へとビームが向かうように、ミラーを検出器に対して相対的に配置するのが容易である。
【００１３】
プリズムとミラーを互いに永久的に固定し、片側を電磁放射線源（例えば、レーザ）の前で、反対側を検出器の前で回転させることができる。或いは、電磁放射線源と検出器を互いに永久的に固定し、プリズム及びミラーに対して回転させることができる。
【発明の効果】
【００１４】
本発明の利点は、機械的に簡単な方法で反射電磁放射ビームを検出器へと向けることができることである。例えば、ミラーをプリズム上の材料層と固定した関係で配置することができる。
【００１５】
以下では、好ましい実施例を用い、添付図面を参照して本発明をより詳細に説明する。
【実施例】
【００１６】
本発明は、表面プラズモン共鳴測定を実施するための方法に関する。
【００１７】
この方法において、電磁放射ビーム１は電磁放射線源２によって生成される。電磁放射ビーム１は、プリズム３を通して入射角（α１；α２）で材料層５に当たる。材料層５は、プリズム３の平面状表面４を少なくとも部分的に覆う。表面共鳴現象は材料層５中で生じる。反射電磁放射ビーム６は、平面状表面４によって反射角（α１；α２）で反射されて、プリズム３を通過し、さらに反射電磁放射ビーム６の強度レベルを検出するための検出器７に至る。表面共鳴現象によって生じる、反射電磁放射ビーム６の強度の変化が測定される。入射角（α１；α２）は反射角（α１；α２）と大きさが等しい。
【００１８】
表面プラズモン共鳴測定を実施するためのこの方法において、反射電磁放射ビーム６はミラー８で検出器７へと反射される。
【００１９】
図２において、平面ミラー８が使用され、平面状表面４とそれぞれの平面が互いに平行な関係で配置される。それにより、反射角（α１；α２）と大きさの等しい第２の入射角（α３；α４）で反射電磁放射ビーム６が平面ミラー８に当たり、平面ミラー８が第２の入射角（α３；α４）と大きさの等しい第２の反射角（α３；α４）で反射電磁放射ビーム６を反射することになる。したがって、図２において、電磁放射線源２によって生成される電磁放射ビーム１とミラー８によって反射される反射電磁放射ビーム６は平行である。
【００２０】
或いは、平面ミラー８は、平面状表面４と平行でない傾いた関係にあってもよい。この実施例においては、反射電磁放射ビーム６が検出器７に向くように、平面状表面４に対して相対的にミラー８を配置する。好ましくは、ある角度範囲の反射電磁放射ビーム６が検出器７に向くように、平面状表面４に対して相対的にミラー８を配置する。
【００２１】
電磁放射線源２は、好ましくはレーザであるが、必ずしもその必要はない。
【００２２】
材料層５は好ましくは金属膜であり、好ましくはＡｕを含むが、必ずしもその必要はない。ＳＰＲと適合する他の材料も使用することができる。
【００２３】
この方法で使用される検出器７は、好ましくはある面積、例えば１０×１０ｍｍの大きさで検出器に到達した反射電磁放射ビーム６を検出することができる検出器であるが、必ずしもその必要はない。検出器７は、好ましくは、シリコン検出器、光ファイバ束又はその他の何らかの集光・光検出装置であるが、必ずしもその必要はない。
【００２４】
図中のプリズム３は、縦中線９をもつ平面状表面４を備える半円筒形プリズム３である。電磁放射ビーム１は、図１及び２において、縦中線９に当たる。
【００２５】
この方法においては、好ましくは、表面プラズモン共鳴現象が実現されるように入射角（α１；α２）が変化するよう、プリズム３及びミラー８を一緒に回転軸１２の周りで電磁放射線源２及び検出器７に対して又はその逆に回転させるが、必ずしもその必要はない。
【００２６】
図２において、プリズム３は、縦中線９をもつ平面状表面４を備える半円筒形プリズム３である。電磁放射ビーム１が縦中線９に当たる。表面プラズモン共鳴現象が実現されるように入射角（α１；α２）が変化するよう、半円筒形プリズム３の平面状表面４の縦中線９でもある回転軸１２の周りでプリズム３及びミラー８を一緒に回転させる。
【００２７】
図３において、表面プラズモン共鳴現象が実現されるように入射角（α１；α２）が変化するよう、プリズム３及びミラー８に対して電磁放射線源２及び検出器７を一緒に回転させることができる。
【００２８】
本発明の方法は、例えば、サンプル（参照番号は付いていない）中での分析物１３の存在を検出するための方法として（又は方法の中で）使用することができる。これは、サンプル中での分析物１３の存在を検出するためのセンサ１１を、材料層５と機能的に接触して配置することによって行うことができる。
【００２９】
このセンサは、好ましくは国際出願ＰＣＴ／ＦＩ０２／００７６３で提示されているセンサであるが、必ずしもその必要はない。
【００３０】
図４に示すセンサは、特定の分析物１３をそれ自体に結合させることのできる生体分子１４を含み、したがってこのセンサは、機能的に接触している材料層５上で、生体分子１４に結合した分析物の増加を示す変化を引き起こすことができるものでよい。分析物を含むサンプルをこのセンサに供給して、分析物１３を生体分子１４に結合させる。センサ１１は材料層５と機能的に接触しているので、材料層５における表面プラズモン共鳴特性の変化が生じ、この変化が共鳴現象の変化を引き起こし、センサに供給されたサンプル中での分析物の存在を示す、反射電磁放射の変化をもたらす。
【００３１】
本発明はまた、表面プラズモン共鳴測定を実施するための装置に関する。
【００３２】
この装置は、電磁放射ビーム１を生成し、表面プラズモン共鳴現象を可能にする入射角（α）で電磁放射が材料層５に当たるようにプリズム３を通して材料層５に当てる電磁放射線源２を含む。
【００３３】
材料層５は、プリズム３の平面状表面４を少なくとも部分的に覆う。
【００３４】
反射されてプリズム３を通過し、さらに反射電磁放射ビーム６の強度レベルを検出するための検出器７に至る反射電磁放射ビーム６を生成するように平面状表面４を適合させる。
【００３５】
本発明の装置は、反射電磁放射ビーム６を検出器７へと反射するミラー８を含む。
【００３６】
図中に示すミラー８は平面ミラー８である。平面ミラー８及びプリズム３の平面状表面４は、それぞれの平面が互いに平行な関係で配置される。
【００３７】
図中、電磁放射線源２はレーザであり、電磁放射ビーム１及び反射電磁放射ビーム６はレーザ・ビームである。
【００３８】
材料層５は、好ましくは金属膜であるが、必ずしもその必要はなく、好ましくはＡｕを含むが、必ずしもその必要はない。ＳＰＲと適合する他の材料も可能である。
【００３９】
図中、プリズム３は半円筒形プリズムである。角柱プリズム、例えば、４５度又は６０度プリズムを使用することもできる。
【００４０】
この方法で使用される検出器７は、好ましくはある面積、例えば１０×１０ｍｍの大きさで検出器に到達した反射電磁放射ビーム６を検出することができる検出器であるが、必ずしもその必要はない。検出器７は、好ましくは、シリコン検出器、光ファイバ束又はその他の何らかの集光・光検出装置であるが、必ずしもその必要はない。
【００４１】
好ましくは電磁放射線源２及び検出器７に対してミラー８及びプリズム３を一緒に回転させることができるが、必ずしもその必要はない。
【００４２】
この装置は、好ましくは電磁放射線源２を検出器７とともに回転させるための第１の回転装置１１を含むが、必ずしもその必要はない。このような回転装置は図３に提示されている。電磁放射線源２と検出器７は、好ましくは互いに機械的に固定されるが、必ずしもその必要はない。
【００４３】
図３において、プリズム３は、縦中線９をもつ平面状表面４を備える半円筒形プリズムである。電磁放射線源２は、電磁放射ビーム１が平面状表面４の中線９に当たるように配置され、第１の回転装置１１は、半円筒形プリズム３の平面状表面４の中線９の周りで電磁放射線源２を検出器７とともに回転させるように配置される。
【００４４】
その代わりに、又はそれに加えて、この装置は図２に示すような、プリズム３をミラー８とともに回転させるための第２の回転装置（図示せず）を含むことができる。この実施例において、プリズム３とミラー８は好ましくは互いに機械的に固定されるが、必ずしもその必要はない。この実施例において、半円筒形プリズム３の平面状表面４の中線９の周りで電磁放射線源２を検出器７とともに回転させるように第２の回転装置を配置することができる。
【００４５】
サンプル中での分析物の存在を検出するための装置として（又は機器中で）本発明の装置を使用することができる。この実施例においては、この装置はサンプル中での分析物の存在を検出するためのセンサを含む。
【００４６】
このセンサは、好ましくは国際出願ＰＣＴ／ＦＩ０２／００７６３で提示されているセンサであるが、必ずしもその必要はない。
【００４７】
この実施例においては、センサが材料層５と機能的に接触している。このセンサは、例えば、特定の分析物をそれ自体に結合させることができる生体分子を含むことができ、またこのセンサは、機能的に接触している材料層５における、生体分子に結合した分析物の増加を示す、表面プラズモン共鳴特性の変化を引き起こすことができる。材料層５における表面プラズモン共鳴特性のこの変化が、反射電磁放射ビーム６の変化をもたらす。
【００４８】
技術が進歩する中で、本発明の概念を様々な方法で実施することができることが当業者には明らかであろう。本発明及びその実施例は上述した例に限定されず、特許請求の範囲内で様々な形を取ることができる。
【図面の簡単な説明】
【００４９】
【図１】ミラーのない装置の原理を示す図である。
【図２】本発明の原理を示す図である。
【図３】サンプル中での分析物の存在を検出するための機器を示す図である。
【図４】生体分子を有する材料層の概略図である。
【図１】
2007514922.tif 000003
【図２】
2007514922.tif 000004
【図３】
2007514922.tif 000005
【図４】
2007514922.tif 000006
【国際調査報告】
2007514922.tif 000007
2007514922.tif 000008
2007514922.tif 000009